(57)【要約】【課題】取付け易く、外れにくい鉄筋工事用のウォールスペーサーを提供することである。【解決手段】鉄筋部（１２）を備え、鉄筋部の一端にフック（１２ａ）が設けられ、他端にフックを含む平面に対してほぼ直交方向に折り曲げられた係止部分（１２ｂ）が設けられており、先端部と鉄筋部との間の距離が所要のかぶりにほぼ等しくなるように、フックに固定された本体（１４）を更に備えていることを特徴とする。本体は好ましくは、コンクリート又はモルタルで形成されている。【選択図】  図１
2004270431.tif 000002
【特許請求の範囲】
【請求項１】
鉄筋部を備え、前記鉄筋部の一端にフックが設けられ、他端に前記フックを含む平面に対してほぼ直交方向に折り曲げられた係止部分が設けられており、
先端部と前記鉄筋部との間の距離が所要のかぶりにほぼ等しくなるように、前記フックに固定された本体を更に備えていることを特徴とする鉄筋工事用ウォールスペーサー。
【請求項２】
前記本体が、コンクリート又はモルタルで形成されていることを特徴とする請求項１に記載の鉄筋工事用ウォールスペーサー。
【請求項３】
前記本体の前記先端部の領域が最小になるように形成されていることを特徴とする請求項１又は２に記載の鉄筋工事用ウォールスペーサー。
【請求項４】
前記本体が、半円板形、切頭円錐形、又は半円板形の上部を切除した形状のいずれかの形状であることを特徴とする請求項３に記載の鉄筋工事用ウォールスペーサー。
【発明の詳細な説明】
【０００１】
【発明の属する技術分野】
本発明は一般に、ウォールスペーサーに関する。より詳細には、本発明は、取付け易く、外れにくい鉄筋工事用のウォールスペーサーに関する。
【０００２】
【従来の技術】
鉄筋コンクリートは、鉄筋に引張力を負担させ、コンクリートに圧縮力を負担させることにより、双方の短所を補い、長所を際立たせる優れた複合材料である。このように、鉄筋は、鉄筋コンクリート構造物を構成する構造材料の１つであり、鉄筋コンクリート構造物における鉄筋の配置個所は、設計図や施工図で定められている。鉄筋コンクリート構造物の施工に際しては、型枠を設置した後に型枠内の所定個所に鉄筋を組み立てたり、或いは、所定個所に鉄筋を組み立てた後に型枠を設置したりするが、型枠内面と鉄筋との間隔（通常、「かぶり」と呼ばれている）を設計図や施工図通りに保持するため、スペーサー（間隔保持具）が用いられる。
【０００３】
【発明が解決しようとする課題】
しかしながら、従来のスペーサーは、鉄筋に引っ掛けるだけのものであるため、型枠の組立作業時に外れてしまったり、型枠内へのコンクリートの打設時に流されてしまったりして、所定のかぶりが確保されないという課題があった。そして、このように所定のかぶりが確保されないことにより、鉄筋コンクリート構造物が設計どおりに施工されず、構造的に問題を生ずるおそれがあるという不都合があった。
【０００４】
したがって、本発明は、取付け易く、外れにくい鉄筋工事用のウォールスペーサーを提供することを目的としている。
【０００５】
【課題を解決するための手段】
本願請求項１に記載の鉄筋工事用ウォールスペーサーは、鉄筋部を備え、前記鉄筋部の一端にフックが設けられ、他端に前記フックを含む平面に対してほぼ直交方向に折り曲げられた係止部分が設けられており、先端部と前記鉄筋部との間の距離が所要のかぶりにほぼ等しくなるように、前記フックに固定された本体を更に備えていることを特徴とするものである。
【０００６】
本願請求項２に記載の鉄筋工事用ウォールスペーサーは、前記請求項１のウォールスペーサーにおいて、前記本体が、コンクリート又はモルタルで形成されていることを特徴とするものである。
【０００７】
本願請求項３に記載の鉄筋工事用ウォールスペーサーは、前記請求項１又は２のウォールスペーサーにおいて、前記本体の前記先端部の領域が最小になるように形成されていることを特徴とするものである。
【０００８】
本願請求項４に記載の鉄筋工事用ウォールスペーサーは、前記請求項３のウォールスペーサーにおいて、前記本体が、半円板形、切頭円錐形、又は半円板形の上部を切除した形状のいずれかの形状であることを特徴とするものである。
【０００９】
【発明の実施の形態】
次に図面を参照して、本発明の好ましい実施の形態に係る鉄筋工事用ウォールスペーサーについて詳細に説明する。図１において全体として参照符号１０で示される本発明の第１の実施の形態に係るウォールスペーサーは、鉄筋部１２を備えている。
【００１０】
鉄筋部１２の一端には、フック１２ａが設けられている。また、鉄筋部１２の他端には、フック１２ａを含む平面（図２（ａ）では紙面を含む平面、図２（ｂ）では紙面に直交する平面）に対してほぼ直交方向に折り曲げられた係止部分１２ｂが設けられている。なお、鉄筋部１２は、異形鉄筋で形成してもよく、丸鋼で形成してもよい。
【００１１】
ウォールスペーサー１０は又、鉄筋部１２のフック１２ａに固定された本体１４を備えている。本体１４は、図１に示されるように、半円板形状を有している。本体１４は、弧状部分が鉄筋部１２と反対側に位置し、かつ、弧状部分の先端部１４ａと鉄筋部１２との間の距離ｄ（図２（ａ）参照）が所要のかぶりにほぼ等しくなるように、鉄筋部１２のフック１２ａに固定されている。
【００１２】
本体１４は、コンクリート、モルタル、金属材料、合成樹脂材料で形成されるが、後述するように、ウォールスペーサー１０自体が鉄筋コンクリート構造物中に埋め込まれるため、異物とならず且つ錆びないように、コンクリート又はモルタルで形成するのが好ましい。
【００１３】
次に、以上のように構成されたウォールスペーサー１０の使用法について説明する。型枠を設置した後に型枠内の所定個所に鉄筋を設置しようとする場合には、まず、設置しようとする鉄筋を組み立てて、横鉄筋にウォールスペーサー１０の鉄筋部１２のフック１２ａを引っ掛ける。すると、本体１４の重みにより、鉄筋部１２の係止部分１２ｂが縦鉄筋に係止され、ウォールスペーサー１０が鉄筋に堅固に取付けられることになる（図３（ｂ）参照）。次いで、ウォールスペーサー１０の本体１４を型枠内面に接触させ、その位置に鉄筋を設置する（図３（ａ）参照）。
【００１４】
一方、所定個所に鉄筋を設置した後に型枠を設置しようとする場合には、上述と同様にして、所定個所に設置された鉄筋に、ウォールスペーサー１０を堅固に取付ける。次いで、ウォールスペーサー１０の本体１４に接触するように型枠を配置し、その位置に型枠を設置する。
【００１５】
なお、上述の例では、ウォールスペーサー１０が鉄筋に結束されていないが、鉄筋へのウォールスペーサー１０の取付けをより強固にするため、クリップや番線（図示せず）等を用いて、ウォールスペーサー１０の鉄筋部１２を縦鉄筋に結束してもよい。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
例えば、前記実施の形態において、本体１４の形状は、半円板形であるが、他の形状、例えば、図４に示されるように、半円板形の上部を切除した形状（図４（ａ））や切頭円錐形（図４（ｃ））でもよい。なお、型枠を取り外した後における本体１４の露出部分を極力小さくするために、本体１４の先端部１４ａが最小になるように選定するのが好ましい。
【００１８】
【発明の効果】
本発明により、型枠工事や鉄筋工事において、容易に取付けることができ、しかも外れにくい鉄筋工事用ウォールスペーサーが提供される。また、本発明の鉄筋工事用ウォールスペーサーは、構造が簡単であるので、廉価に供給することが可能である。
【図面の簡単な説明】
【図１】本発明の第１の実施の形態に係る鉄筋工事用ウォールスペーサーの斜視図である。
【図２】（ａ）は図１のウォールスペーサーの正面図、（ｂ）は（ａ）の線２ｂ−２ｂに沿って見た側面図である。
【図３】（ａ）は図１のウォールスペーサーの使用法を示した図、（ｂ）は（ａ）の線３ｂ−３ｂに沿って見た側面図である。
【図４】ウォールスペーサーの本体の変形形態を示した斜視図である。
【符号の説明】
１０  鉄筋工事用ウォールスペーサー
１２  鉄筋部
１２ａ  フック
１２ｂ  係止部分
１４  本体
【図１】
2004270431.tif 000003
【図２】
2004270431.tif 000004
【図３】
2004270431.tif 000005
【図４】
2004270431.tif 000006